(57)【要約】【課題】２枚のプリント基板２ａ，２ｂを接続用コネクタ１３ａ，１３ｂを用いて連結し、これを堅固に収納ケース１内に固定することのできる基板の取り付け構造を提供する。【解決手段】２枚のプリント基板２ａ，２ｂは、それぞれ電気的な接続が可能な接続用コネクタ１３ａ，１３ｂを有し、当該接続用コネクタ１３ａ，１３ｂどうしを連結することにより、２枚のプリント基板２ａ，２ｂが所定の間隔をもって略平行に結合される。また、プリント基板２ａの隅部にはネジ孔１０が穿設され、収納ケース１の隅部には、上下方向に向けて可撓性を有しネジ孔１５が穿設された弾性プレート８、及び該ネジ孔１５と同軸的に穿設されたボス孔５が形成される。そして、ネジ１１を、ネジ孔１５、ネジ孔１０、ボス孔５の順で螺合して、プリント基板２ａを収納ケース１内に固定する。【選択図】      図１
2004235444.tif 000002
【特許請求の範囲】
【請求項１】
少なくとも一つの面が開放された筐体内に、当該開放された面から第１の基板及びこれよりも面積の大きい第２の基板を互いに平行配置した状態で収納し、且つ、前記第１の基板をネジ止めして前記筐体内に取り付ける基板の取り付け構造において、
前記２枚の基板は、それぞれ電気的な接続が可能な接続用コネクタを有し、当該接続用コネクタどうしを連結することにより、２枚の基板が所定の間隔をもって略平行に結合され、且つ、前記第１の基板の適所には第１のネジ孔が穿設され、
前記筐体の適所には、基板収納時における当該基板の法線方向に向けて可撓性を有し第２のネジ孔が穿設された弾性部、及び該第２のネジ孔と同軸的に穿設されたボス孔が形成され、
ネジを、前記第２のネジ孔、第１のネジ孔、ボス孔の順で螺合して、前記基板を筐体内に固定することを特徴とする基板の取り付け構造。
【請求項２】
前記第１の基板は、外部の電気機器と接続するための外部コネクタを備えていることを特徴とする請求項１に記載の基板の取り付け構造。
【請求項３】
前記筐体内面には、前記第２の基板をガイドするガイド溝が形成されたことを特徴とする請求項１に記載の基板の取り付け構造。
【請求項４】
前記弾性部は矩形状をなし、このうち一辺が前記筐体に固定された片持ち形状であることを特徴とする請求項１〜請求項３のいずれか１項に記載の基板の取り付け構造。
【請求項５】
前記弾性部は矩形状をなし、このうち対向する２辺が前記筐体に固定された両持ち形状であることを特徴とする請求項１〜請求項３のいずれか１項に記載の基板の取り付け構造。
【請求項６】
前記弾性部は、前記筐体の隅部に形成され、当該隅部にて前記第１の基板を固定することを特徴とする請求項１〜請求項５のいずれか１項に記載の基板の取り付け構造。
【発明の詳細な説明】
【０００１】
【発明の属する技術分野】
本発明は、２枚以上重ねて配置された基板を、収納ケース内に挿入して、当該収納ケースに固定する基板の取り付け構造に関する。
【０００２】
【従来の技術】
略直方体形状をなす収納ケース内に、２枚、或いはそれ以上重ねて配置されたプリント基板を挿入して、固定する方法として、収納ケースを２分割し、プリント基板をケース内に取り付けた後、２分割された収納ケースを嵌合する方法が用いられている。
【０００３】
ところが、このような方法では、収納ケースを２分割し、且つ、これらを嵌合するという作業が必要となり、多くの手間がかかるので、従来より、収納ケースの１つの面のみを開放し、この開放面からプリント基板を挿入した後、ネジ止めによりこのプリント基板を収納ケースに固定する方法が用いられている。
【０００４】
図６は、従来におけるプリント基板の取り付け構造を示す説明図であり、同図は、略直方体形状をなす樹脂製の収納ケース１０１内に、２枚重ねられたプリント基板１０２ａ，１０２ｂを挿入する場合を示している。そして、プリント基板１０２ｂはプリント基板１０２ａよりも面積が大きく構成されている。
【０００５】
同図に示すように、収納ケース１０１は、前面１０３に、外部コネクタ露出用の開口部１０３ａ、１０３ｂが形成されており、更に、前面１０３の隅部には、切欠部１０４が形成されている。そして、該切欠部１０４には、隅部プレート１１４が形成され、該隅部プレート１１４には、ボス孔１０５が穿設されている。
【０００６】
また、プリント基板１０２ａ，１０２ｂには、外部機器との間で電気的な接続を行うための外部コネクタ１０６，１１２が取り付けられ、更に、プリント基板１０２ｂの上面側には、スペーサ１０７を挟んでプリント基板１０２ａが取り付けられている。
【０００７】
プリント基板１０２ｂと、プリント基板１０２ａとの間には、ＦＦＣ（フレキシブル・フラット・ケーブル）１０８が配設され、該ＦＦＣ１０８により、２枚のプリント基板１０２ａ，１０２ｂ間が電気的に接続されるようになっている。
【０００８】
また、下側のプリント基板１０２ａの１つの隅部には、切欠１０９が形成され、この部分に対応する上側のプリント基板１０２ａには、ネジ孔１１０が穿設されている。
【０００９】
そして、２枚のプリント基板１０２ａ，１０２ｂを、収納ケース１０１内に固定する際には、まず、２枚のプリント基板１０２ａ，１０２ｂの間の数カ所にスペーサ１０７を介置し、更に、２枚のプリント基板１０２ａ，１０２ｂに取り付けられた接続用コネクタ１１３間をＦＦＣ１０８を用いて連結する。なお、図６には、記載されていないが、プリント基板１０２ｂ側にもプリント基板１０２ａと同様に接続用コネクタ１１３が設けられており、これらが連結される。
【００１０】
この状態で、収納ケース１０１の開放された面、即ち、収納ケース１０１の背面側（前面１０３の反対側の面）から２枚のプリント基板１０２ａ，１０２ｂを挿入する。そして、プリント基板１０２ｂに穿設されたネジ孔１１０と、収納ケース１０１に形成されたボス孔１０５の中心を合わせた状態で、ネジ１１１を螺合させ、プリント基板１０２ａを収納ケースに固定する。こうして、２枚のプリント基板１０２ａ，１０２ｂを収納ケース内１０１内に固定することができる。
【００１１】
【特許文献１】
特開２００１−２１７５７１号公報
【００１２】
【発明が解決しようとする課題】
しかしながら、上述した従来における基板の取り付け構造では、２枚のプリント基板１０２ａ，１０２ｂ間にスペーサ１０７を設置する必要がある。また、ＦＦＣ１０８を用いて、２枚のプリント基板１０２ａ，１０２ｂの接続用コネクタ１１３間を電気的に結合する構成であるので、配線の手間がかかる。
【００１３】
そこで、２枚のプリント基板１０２ａ，１０２ｂに設けられた接続用コネクタ１１３どうしを直接連結することにより、当該コネクタ１１３をスペーサとして２枚のプリント基板１０２ａ，１０２ｂの間隔を保持するために用い、且つ、ＦＦＣ１０８による連結を不要とする取り付け構造の採用が望まれる。
【００１４】
しかしながら、このような取り付け構造を採用すると、プリント基板１０２ａに形成されたネジ孔１１０とボス孔１０５にネジ１１１を螺合する際に、プリント基板１０２ａに回転力が加えられることになり、このストレスが接続用コネクタ１１３に加えられてしまい、該接続用コネクタ１１３に無理な力がかかって、変形したり、損傷するというトラブルが発生する。従って、このような取り付け構造を採用することができないのが現状である。
【００１５】
この発明は、このような従来の課題を解決するためになされたものであり、その目的とするところは、基板に設けられた接続用コネクタどうしを連結する場合においても、当該接続用コネクタにストレスが加えられないようにした、基板の取り付け構造を提供することにある。
【００１６】
【課題を解決するための手段】
上記目的を達成するため、本願請求項１に記載の発明は、少なくとも一つの面が開放された筐体内に、当該開放された面から第１の基板及びこれよりも面積の大きい第２の基板を互いに平行配置した状態で収納し、且つ、前記第１の基板をネジ止めして前記筐体内に取り付ける基板の取り付け構造において、前記２枚の基板は、それぞれ電気的な接続が可能な接続用コネクタを有し、当該接続用コネクタどうしを連結することにより、２枚の基板が所定の間隔をもって略平行に結合され、且つ、前記第１の基板の適所には第１のネジ孔が穿設され、前記筐体の適所には、基板収納時における当該基板の法線方向に向けて可撓性を有し第２のネジ孔が穿設された弾性部、及び該第２のネジ孔と同軸的に穿設されたボス孔が形成され、ネジを、前記第２のネジ孔、第１のネジ孔、ボス孔の順で螺合して、前記基板を筐体内に固定することを特徴とする。
【００１７】
請求項２に記載の発明は、前記第１の基板は、外部の電気機器と接続するための外部コネクタを備えていることを特徴とする。
【００１８】
請求項３に記載の発明は、前記筐体内面には、前記第２の基板をガイドするガイド溝が形成されたことを特徴とする。
【００１９】
請求項４に記載の発明は、前記弾性部は矩形状をなし、このうち一辺が前記筐体に固定された片持ち形状であることを特徴とする。
【００２０】
請求項５に記載の発明は、前記弾性部は矩形状をなし、このうち対向する２辺が前記筐体に固定された両持ち形状であることを特徴とする。
【００２１】
請求項６に記載の発明は、前記弾性部は、前記筐体の隅部に形成され、当該隅部にて前記第１の基板を固定することを特徴とする。
【００２２】
【発明の実施の形態】
以下、本発明の実施形態を図面に基づいて説明する。図１は、本発明の一実施形態に係る基板の取り付け構造が採用された収納ケース（筐体）１、及びプリント基板（第１の基板）２ａ，プリント基板（第２の基板）２ｂの構成を示す斜視図、図２〜図４は、収納ケース１内にプリント基板２ａ，２ｂを固定したときの正面図、側面図、及び平面図をそれぞれ示している。
【００２３】
そして、本実施形態は、２枚のプリント基板２ａ，２ｂを互いに平行となるように連結した状態で、収納ケース１内に挿入してネジ止めする。
【００２４】
図１に示すように、収納ケース１は、直方体形状をなしており、該収納ケース１の前面３には、外部機器と接続するための外部コネクタを露出する開口部３ａ、３ｂが形成されており、前面３と対向する面となる背面７（図３参照）は、プリント基板２ａ，２ｂを挿入するための開口部とされている。なお、この開口部は、プリント基板２ａ，２ｂを挿入した後に、背面板で閉鎖する。
【００２５】
また、収納ケース１の前面３隅部には、切欠部４が形成され、該切欠部４には、図６に示した従来の収納ケースと同様の隅部プレート１４が形成され、この隅部プレート１４には、ボス孔５が穿設されている。更に、この隅部プレート１４の上側には、弾性プレート８が形成され、該弾性プレート８には、ネジ孔（第２のネジ孔）１５が形成され、ボス孔５とネジ孔１５は、互いに同軸的に形成されている。また、ネジ孔１５は後述するネジ１１よりも直径が若干大きい円とされており、ボス孔１５はネジ１１よりも直径が若干小さい円とされている。
【００２６】
プリント基板２ｂは、前方に外部コネクタ１２を備え、且つ、上面側に接続用コネクタ１３ｂを備えている。そして、収納ケース１の内面に形成されたガイド溝１６に沿って収納ケース１内に挿入可能である。つまり、スペーサの役割を果たす。また、該プリント基板２ｂの前側の隅部には、切欠９が形成されている。
【００２７】
プリント基板２ａは、プリント基板２ｂよりも面積が小さく構成されており、前方に外部コネクタ６を備え、且つ、下面側に前述したコネクタ１３ｂと連結可能なコネクタ１３ａを有している。また、該プリント基板２ａの前側の隅部には、ネジ孔（第１のネジ孔）１０が穿設されている。
【００２８】
次に、上述のように構成された本実施形態に係る基板取り付け構造の、作用について説明する。
【００２９】
収納ケース１内に２枚のプリント基板２ａ，２ｂを挿入する際には、まず、下側となるプリント基板２ｂの接続用コネクタ１３ｂと、上側となるプリント基板２ａの接続用コネクタ１３ａを連結する。すると、２枚のプリント基板２ａ，２ｂは、互いに平行となり、且つ、コネクタ１３ａ，１３ｂにより、２枚のプリント基板２ａ，２ｂ間に一定の間隔が保持される。また、２枚のプリント基板２ａ，２ｂ間での電気的な接続が可能となる。
【００３０】
そして、この状態で２枚のプリント基板２ａ，２ｂを背面７側から収納ケース１内に挿入する。この際、プリント基板２ｂをガイド溝１６に係合させる。すると、プリント基板２ｂは、ガイド溝１６にガイドされながら、収納ケース１内に入り込み、切欠９が収納ケース１の切欠部４と一致したところまで到達する。このとき、プリント基板２ｂは、隅部プレート１４の下側となり、プリント基板２ａは、隅部プレート１４と弾性プレート８との間に挿入される。
【００３１】
そして、弾性プレート８に穿設されたネジ孔１５、プリント基板２ａに形成されたネジ孔１０、及び隅部プレート１４に形成されたボス孔５の、各中心軸が一致する状態となる。また、外部コネクタ６が開口部３ｂの位置に達し、外部コネクタ１２が開口部３ａの位置に達する。
【００３２】
この状態において、ネジ孔１５、ネジ孔１０は、その直径がネジ１１の直径よりも若干大きくなっており、また、ボス孔５は、その直径がネジ１１の直径よりも若干小さいので、弾性プレート８の上側からネジ１１を各孔に挿通し、螺合させると、ネジ１１は隅部プレート１４のボス孔５に食い込みながら、弾性プレート８及びプリント基板２ａが隅部プレート１４に締め付けられることになる。
【００３３】
この際、ネジ１１を回転させることにより、発生する摩擦力は、弾性プレート８に加えられ、プリント基板２ａには加えられない。従って、プリント基板２ａとプリント基板２ｂとを連結する接続用コネクタ１３ａ，１３ｂに無理なストレスが加えられることがない。
【００３４】
また、弾性プレート８は、上下方向（プリント基板２ａ，２ｂの法線方向）に向けて可撓性を有しているので、ネジ１１を螺合して締め付けた際には、プリント基板２ａと、隅部プレート１４（即ち、収納ケース１）とを堅固に固定することができるようになる。
【００３５】
このようにして、本実施形態に係る基板の取り付け構造では、収納ケース１に弾性プレート８を形成し、該弾性プレート８を経てネジ１１を螺合させ、プリント基板２ａを収納ケース１に固定している。従って、ネジ１１を螺合する際に発生する回転力がプリント基板２ａに加えられることがなくなり、２枚のプリント基板２ａ，２ｂどうしを連結する接続用コネクタ１３ａ，１３ｂにストレスが加えられることがない。
【００３６】
従って、２枚のプリント基板２ａ，２ｂを、接続用コネクタ１３ａ，１３ｂを用いて連結することが可能となり、連結作業の手間を著しく軽減することができる。また、接続用コネクタ１３ａ，１３ｂがスペーサとして機能するので、２枚のプリント基板２ａ，２ｂ間にスペーサを設置する必要がなく、この点においても、基板組み付け時の労力を軽減することができる。
【００３７】
更に、弾性プレート８が、上下方向に向けて弾性を有することにより、プリント基板２ａ，２ｂを収納ケース１に対して堅固に固定することができるので、外部コネクタ６，１２と外部機器との間でコネクタ接続を行う場合においても、プリント基板２ａ，２ｂに無理な力が加えられることがなく、接続用コネクタ１３ａ，１３ｂの損傷を防止することができる。
【００３８】
また、従来のように、ＦＦＣを用いた連結が不要となるので、コストの低減化を図ることができる。
【００３９】
以上、本発明の基板の取り付け構造を図示の実施形態に基づいて説明したが、本発明はこれに限定されるものではなく、各部の構成は、同様の機能を有する任意の構成のものに置き換えることができる。
【００４０】
例えば、上述した実施形態では、収納ケース１の隅部に形成する弾性部として、片持ち式の弾性プレート８を用いる例について説明したが、例えば、図５に示すように、２辺にスリット１７ａが形成された両持ち式の弾性プレート１７を用いることもできる。このような構成においても、該弾性プレート１７は、上下方向（プリント基板２ａ，２ｂの法線方向）に向けて可撓性を有するので、前述した実施形態と同様の効果を得ることができる。
【００４１】
また、上述した実施形態では、２枚のプリント基板２ａ，２ｂを互いに平行となるように接続する例について説明したが、３枚以上のプリント基板を接続する場合についても本発明の取り付け構造を適用できることは自明である。
【００４２】
更に、上記した実施形態では、電気的な回路が組み込まれた基板として、プリント基板２ａ，２ｂを例に説明したが、本発明は、これに限定されるものではなく、その他の構成を有する基板についても適用することができる。
【００４３】
【発明の効果】
以上説明したように、本発明に係る基板の取り付け構造では、第１の基板を筐体に固定する際に、弾性部（弾性プレート）に形成された第２のネジ孔を介してネジを第１の基板の第１のネジ孔に挿通し、当該筐体に形成されたボス孔に螺合するので、ネジを螺合する際の回転力が第１の基板に加えられることがない。従って、コネクタ接続部に無理な力が加えられることがなく、コネクタが損傷したり、変形するというトラブルを回避することができる。
【００４４】
また、外部コネクタを有する構成とすれば、外部機器との間の接続が容易、且つ確実となる。
【００４５】
更に、筐体内に第２の基板をガイドするガイド溝が形成されるので、第１，第２の基板を容易に筐体内に収納することができる。
【００４６】
また、弾性部は片持ち式、或いは両持ち式とされ、上下方向（基板の法線方向）に向けて可撓性を有するので、堅固な固定が可能となる。
【図面の簡単な説明】
【図１】本発明に係る基板の取り付け構造の、一実施形態の構成を示す斜視図である。
【図２】本発明に係る基板の取り付け構造を用いて収納ケース内にプリント基板２ａ，２ｂを挿入したときの様子を示す正面図である。
【図３】本発明に係る基板の取り付け構造を用いて収納ケース内にプリント基板２ａ，２ｂを挿入したときの様子を示す側面図である。
【図４】本発明に係る基板の取り付け構造を用いて収納ケース内にプリント基板２ａ，２ｂを挿入したときの様子を示す平面図である。
【図５】図１に示した弾性プレートの、変形例の構成を示す説明図である。
【図６】従来における基板の取り付け構造を示す斜視図である。
【符号の説明】
１  収納ケース（筐体）
２ａ  プリント基板（第１の基板）
２ｂ  プリント基板（第２の基板）
３  前面
３ａ，３ｂ  開口部
４  切欠部
５  ボス孔
６，１２  外部コネクタ
７  背面
８  弾性プレート
９  切欠
１０  ネジ孔（第１のネジ孔）
１１  ネジ
１３ａ，１３ｂ  接続用コネクタ
１４  隅部プレート
１５  ネジ孔（第２のネジ孔）
１６  ガイド溝
１７  弾性プレート
１７ａ  スリット
１０１  収納ケース
１０２ａ，１０２ｂ  プリント基板
１０３  前面
１０３ａ，１０３ｂ  開口部
１０４  切欠部
１０５  ボス孔
１０６，１１２  外部コネクタ
１０７  スペーサ
１０８  ＦＦＣ
１０９  切欠
１１０  ネジ孔
１１１  ネジ
１１３  接続用コネクタ
１１４  隅部プレート
【図１】
2004235444.tif 000003
【図２】
2004235444.tif 000004
【図３】
2004235444.tif 000005
【図４】
2004235444.tif 000006
【図５】
2004235444.tif 000007
【図６】
2004235444.tif 000008